(57)【特許請求の範囲】
【請求項１】
先端に有底部を有し、上記有底部に係止孔１２を設けた筒状のキャップ体１１と、
上記キャップ体１１の上記係止孔１２に挿通される螺子部２１を後端に設けると共に、側面に凹所１９を設けた円錐形の天ビス体１８と、
上記天ビス体１８の凹所１９に受容される先端部２０を備えてなるクリップ１４とを備え、
上記先端部２０には上記凹所１９に受容される前段部１５とその後方の後段部１７とを有し、上記後段部１７には互いに対向して内側に伸びた爪部１３が後方に張り出し、上記後方に張り出した爪部１３が上記天ビス体１８とキャップ体１１先端の係止孔１２端部との間に介装されてクリップ１４が保持され、
更に、上記螺子部２１に螺合して、上記天ビス体１８の底部との間に上記キャップ体１１の有底部の壁部を介在させて係止するナット２３とを有し、
上記ナット２３を締め付けることにより上記クリップ１４と上記天ビス体１８とを上記キャップ体１１の先端に緊締してなる筆記具のキャップ。
【請求項２】
上記天ビス体１８に形成した上記凹所１９は先端の浅い凹部１９ａとそれよりも深い後方の凹部１９ｂとを有し、上記浅い凹部１９ａに受容される段部１５をクリップ１４の先端部２０に形成した請求項１の筆記具のキャップ。
【請求項３】
上記キャップ体１１の先端有底部に形成した係止孔１２の形状を一部直線上とした円形とし、上記天ビス体１８の凹所１９にクリップ１４先端部を受容させたときの形状に整合させることができるようにしてなる請求項１の筆記具のキャップ。
【発明の詳細な説明】
【０００１】
【産業上の利用分野】
この発明は筆記具のキャップに関し、より具体的には、キャップとクリップとの結合構造に関するものである。
【０００２】
【従来の技術】
従来、筆記具のキャップに、これとは別体のクリップを取り付ける場合、筒状のキャップの有底部に天ビスを介して先端に係止部を設けたクリップをネジ止めするタイプのもの、あるいは図３に示すような箱型の差し込みクリップ構造のものが知られている。この発明は後者のタイプの構造に関わるもので、この箱型の差し込みクリップ構造のものは、キャップ本体１に上部に長方形の係止孔２を形成し、この係止孔２に、対向する爪部３を形成した金属製のクリップ４の上記爪部３を挿入し、この爪部３の前方の段部５を上記係止孔２上方のキャップの外面に当接させると共に、クリップの下端に形成した膨出部６がクリップ全体の弾性を利用して弾性的にキャップ１の外面を押圧するようにして係止された構造が一般的である。
【０００３】
【発明が解決しようとする課題】
しかしながら、上記従来の箱型差し込みクリップ構造のものはクリップ全体の弾性を利用して下端の突起部６をキャップ外面に押しつけるだけで保持している構造であるので、係止孔から爪部が離脱しキャップからクリップが外れてしまうことも度々であった。特に、弓状となったクリップの中央部に外からの力が加わって少しでも内側、即ちキャップ側に変形すると、クリップの弾性による押圧力が消滅してキャップが係止孔から完全に離脱してしまうことが多い。
【０００４】
【課題を解決するための手段】
従ってこの発明の目的は、従来の欠点をなくし、クリップとキャップとの結合が確実に維持でき、クリップが仮に変形するようなことがあっても、キャップから離脱することのない、優れたクリップ取り付け構造の筆記具用キャップを提供することである。
【０００５】
【課題を解決するための手段】
即ち、本発明は、 先端に有底部を有し、上記有底部に係止孔１２を設けた筒状のキャップ体１１と、
上記キャップ体１１の上記係止孔１２に挿通される螺子部２１を後端に設けると共に、側面に凹所１９を設けた円錐形の天ビス体１８と、
上記天ビス体１８の凹所１９に受容される先端部２０を備えてなるクリップ１４とを備え、
上記先端部２０には上記凹所１９に受容される前段部１５とその後方の後段部１７とを有し、上記後段部１７には互いに対向して内側に伸びた爪部１３が後方に張り出し、上記後方に張り出した爪部１３が上記天ビス体１８とキャップ体１１先端の係止孔１２端部との間に介装されてクリップ１４が保持され、
更に、上記螺子部２１に螺合して、上記天ビス体１８の底部との間に前記キャップ体１１の有底部の壁部を介在させて係止するナット２３とを有し、
上記ナット２３を締め付けることにより上記クリップ１４と上記天ビス体１８とを上記キャップ体１１の先端に緊締してなる筆記具のキャップである。
【０００６】
上記構成において、天ビス体１８に形成した凹所１９は先端の浅い凹部１９ａとそれよりも深い後方の凹部１９ｂとを有し、上記浅い凹部１９ａに受容される段部１５をクリップ１４の先端部２０に形成することもできる。
【０００７】
また、上記キャップの先端有底部に形成した係止孔１２の形状を一部を直線状とした円形とすることにより、上記天ビス体１８の凹所１９にクリップ先端部を受容させたときの形状に整合させることができて、係止作用が更に確実になる。
【０００８】
【作用】
上記のように、先端の有底部に係止孔１２を設けた筒状のキャップ体１１と、上記キャップ体の上記係止孔１２に挿通される螺子部２１を後端に設けると共に、側面に凹所１９を設けた天ビス体１８と、上記天ビス体１８の上記凹所１９に受容される先端部２０を備えたクリップ１４とを有し、上記先端部２０には上記凹所１９に受容される前段部１５とその後方の後段部１７とを設け、上記後段部１７には互いに対向して内側に伸びた爪部１３が後方に張り出し、上記後方に張り出した爪部１３が上記天ビス体１８とキャップ体１１先端の係止孔１２端部との間に介装されてクリップ１４が保持され、更に、上記螺子部２１に螺合して、上記天ビス体１８の底部との間に前記キャップ体の有底部の壁部を介在させて係止するナットとを有した構成とし、上記ナットを締め付けることにより上記クリップ１４と上記天ビス体１８とを上記キャップ体の先端に緊締してなる筆記具のキャップであるので、クリップ１４とキャップ体１１との結合が確実に維持でき、クリップ１４が仮に変形するようなことがあっても、キャップ体から離脱することのない、優れたクリップ取り付け構造の筆記具を提供できる。
【０００９】
【実施例】
以下、この発明の実施例を図面に基づいて説明する。
【００１０】
図１はこの発明による筆記具キャップの一実施例を示す断面図であり、図２は本発明の主要なエレメントの構成を示す分解斜視図である。図１と図２において、筒状で一端（後端）を開放し他端（先端）を有底とした通常の筆記具用キャップ１１は、その有底部に一部を直線状としたほぼ円形の係止孔１２が形成されている。上記係止孔１２に挿通される螺子部２１を備えた天ビス体１８は、図示の実施例では先端をテーパー状とし下端を末広がりとした構成であり、図示の通り全体として円錐形を有している構成としているが、この構成に限定されるものではないこと勿論である。この天ビス体１８はその外面に凹所１９を有し後述するクリップ１４の先端部が入り込むようになっている。この凹所１９は、図示例では先端の浅い凹部１９ａとそれに連続する深い凹部１９ｂとより構成されているが、これはクリップの先端形状に対応して形成されたものであり、必要に応じて一段としてもよい。上記螺子部２１の基部には非螺子部２２が形成され、キャップ１１の有底先端部の垂直壁部１１ａの端面がぴったり当接できるように構成されている。
【００１１】
次に、上記天ビス１８の凹所１９に嵌まり込めるようになる先端部２０を備えたクリップ１４は金属製であって、全体として弓状に湾曲させてある程度の弾性を付与させた構造となっており、下端部には膨出部１６が形成されている。このクリップ１４の基本構造自体は図３で説明した従来のクリップと大きな違いはないが、先端部２０には凹所１９に受容される前段部１５とその後方の後段部１７とを有し、後段部１７には互いに対向して内側に伸びた爪部１３がやや後方に張り出して形成されている。この後方に張り出した爪部１３が天ビス体１８とキャップ１１先端の係止孔１２端部との間に介装されてクリップ１４が保持され、ナット２３によって緊締することによりクリップが所定位置に固定される。上記ナット２３の取り付けは、図示を省略するが一般的なナット締め工具により簡単に成し得る。また、図１において符号２５は通常のインナーキャップであり、ナット２３の後方に張り出させて筆記具本体のぺん先を弾性的に正しく保持するためのものであるが、この形状は種々のものを採用できるし、場合によては省略可能な部材である。
【００１２】
【発明の効果】
以上説明したように、この発明によれば、先端に有底部を有し、上記有底部に係止孔１２を設けた筒状のキャップ体１１と、上記キャップ体１１の上記係止孔１２の挿通さえる螺子部２１を後端に設けると共に、側面に凹所１９を設けた円錐形の天ビス体１８と、上記天ビス体１８の凹所１９に受容される先端部２０を備えてなるクリップ１４とを備え、上記先端部２０には上記凹所１９に受容される前段部１５とその後方の後段部１７とを有し、上記後段部１７には互いに対向して内側に伸びた爪部１３が後方に張り出し、上記後方に張り出した爪部１３が上記天ビス体１８とキャップ１１先端の係止孔１２端部との間に介装されてクリップ１４が保持され、更に、上記螺子部２１に螺合して、上記天ビス体１８の底部との間に前記キャップ体１１の有底部の壁部を介在させて係止するナット２３とを有し、上記ナット２３を締め付けることにより上記クリップ１４と上記天ビス体１８とを上記キャップ体１１の先端に緊締してなる筆記具のキャップであるので、クリップとキャップとの結合が確実に維持でき、クリップが仮に変形するようなことがあっても、キャップから離脱することのない優れたクリップ取り付け構造である。
【図面の簡単な説明】
【図１】この発明による筆記具キャップの一実施例を示す断面図である。
【図２】図２は本発明の主要なエレメントの構成を示す分解斜視図である。
【図３】従来のキャップとクリップの結合例を示した斜視図である。
【符号の説明】
１１……キャップ
１３……クリップ１４の爪部
１４……クリップ
１８……天ビス体
２１……螺子部
１９……凹所
２３……ナット
【図１】
0003582107.tif 000002
【図２】
0003582107.tif 000003
【図３】
0003582107.tif 000004